(57)【特許請求の範囲】
【請求項１】
ラベル基材と、このラベル基材の裏面に形成した粘着剤層と、
この粘着剤層に仮着する台紙と、を有するラベルに対して、前記ラベル基材の上方から前記台紙に向かって打ち込むことにより、前記ラベル基材および前記粘着剤層を切断するためのラベルの打抜き刃であって、
前記ラベル基材および前記粘着剤層を切断可能なカット部と、
このカット部の左右につながっているとともに、切断された前記ラベル基材の切断端部を前記台紙側に押さえ込み可能な一対の傾斜押圧部と、を有し、前記カット部の、当該打抜き刃の打抜き方向における長さは、これを前記粘着剤層の厚さと同等にしたことを特徴とするラベルの打抜き刃。
【請求項２】
前記傾斜押圧部の、当該打抜き刃の打抜き方向における長さは、これを前記ラベル基材の厚さと同等にしたことを特徴とする請求項１記載のラベルの打抜き刃。
【請求項３】
前記傾斜押圧部は、前記カット部との間の刃境界部に向かってテーパー形状を呈していることを特徴とする請求項１記載のラベルの打抜き刃。
【請求項４】
前記傾斜押圧部は、前記ラベル基材の前記切断端部を前記台紙側に押さえ込んで、前記粘着剤層の粘着剤が前記切断端部から外部に浸み出さないようにすることができることを特徴とする請求項１記載のラベルの打抜き刃。
【請求項５】
ラベル基材と、このラベル基材の裏面に形成した粘着剤層と、この粘着剤層に仮着する台紙と、を有するラベルに対して、前記ラベル基材の上方から前記台紙に向かって打抜き刃を打ち込むことにより、前記ラベル基材および前記粘着剤層を切断するためのラベルの打抜き方法であって、
前記打抜き刃は、前記ラベル基材および前記粘着剤層を切断可能なカット部と、
このカット部の左右につながっているとともに、切断された前記ラベル基材の切断端部を前記台紙側に押さえ込み可能な一対の傾斜押圧部と、を有し、前記カット部の、当該打抜き刃の打抜き方向における長さは、これを前記粘着剤層の厚さと同等にし、
前記傾斜押圧部により、前記ラベル基材の前記切断端部を前記台紙側に押さえ込んで、前記粘着剤層の粘着剤を前記切断端部の部分において前記ラベル基材と前記台紙との間に閉じ込めるようにすることを特徴とするラベルの打抜き方法。
【発明の詳細な説明】
【技術分野】
【０００１】
本発明はラベルの打抜き刃および打抜き方法にかかるもので、とくにラベル基材、粘着剤層および台紙を有するラベルの打抜き刃および打抜き方法に関するものである。
【背景技術】
【０００２】
従来のラベルの打抜き刃および打抜き方法について、図４ないし図７にもとづき概説する。
図４は、ラベル１および打抜き刃２を示す断面図であって、ラベル１は、ラベル基材３と、粘着剤層４と、台紙５と、を有する。
【０００３】
ラベル基材３は、上質紙あるいは合成樹脂材などによる帯状の基材であって、あらかじめ所定の情報を印刷してあるか、所定のプリンター（図示せず）に装填して必要な情報を印字可能である。
【０００４】
粘着剤層４は、ラベル基材３の裏面に必要な粘着特性の粘着剤４Ａを塗布することによりこれを形成し、台紙５をはがした状態のラベル基材３を所定の物品（図示せず）に貼り付け可能とするものである。
【０００５】
台紙５は、その表面に剥離剤層（図示せず）を有し、粘着剤層４の裏面側にこれを仮着し、使用時にはがして、粘着剤層４を露出可能とする。
【０００６】
打抜き刃２は、打抜き台６との間にラベル１を位置させて、ラベル１に対して、ラベル基材３の上方から台紙５に向かって打ち込むことにより、ラベル基材３および粘着剤層４を分離切断する。
【０００７】
図５は、打抜き刃２をラベル基材３および粘着剤層４に向かって打ち込んだ状態を示す断面図であって、打抜き刃２の刃先２Ａが台紙５の表面部分まで達しており（ただし刃先２Ａが台紙５を切断することなく）、ラベル基材３および粘着剤層４を切断している。
【０００８】
図６は、打抜き刃２をラベル１の部分から引き抜いた状態を示す断面図であって、ラベル基材３の切断端部３Ａの部分において粘着剤層４が外部に向かって露出しているために、引き抜かれる打抜き刃２やその刃先２Ａに粘着剤層４の粘着剤４Ａが付着して引き上げられる結果、ラベル基材３の切断端部３Ａに粘着剤層４の粘着剤４Ａが浸み出してくるという問題がある。
また、切断した当初は粘着剤４Ａの浸出し現象がない場合にも、時間の経過とともに粘着剤４Ａが浸み出してくるという問題もある。
したがって、ラベル１の製造時に、その製造装置内の、たとえばローラーなどにラベル１の一部が貼り付いて運転を停止せざるを得ないという問題がある。
【０００９】
また、図７は、ラベル１を製品としてロール状に巻いてロール状ラベル１Ａとした状態を示す斜視図であって、図示のように、粘着剤層４から浸み出した粘着剤４Ａが外周側の台紙５の裏面に貼り付いて、そのラベル基材３が本来仮着している台紙５から脱落したり、所定のプリンター（図示せず）に装填して印字する際のジャミングや印字障害を引き起こすという問題がある。
とくに、ラベル基材３が、その厚さが数十μｍ（たとえば６０〜８０μｍ程度）のごく薄いフィルム状である場合、さらには粘着剤層４における粘着剤４Ａがたとえば冷凍糊など比較的弱粘タイプである場合に、こうした問題が発生しやすいという問題がある。
【００１０】
【特許文献１】特開２００４−３３０３６４号公報
【発明の開示】
【発明が解決しようとする課題】
【００１１】
本発明は以上のような諸問題にかんがみなされたもので、ラベル基材の切断端部部分からの粘着剤層の粘着剤の外部への浸出し現象を防止可能としたラベルの打抜き刃および打抜き方法を提供することを課題とする。
【００１２】
また本発明は、ラベルを製品としてロール状に巻いた状態であっても、台紙の裏側にラベル基材が貼り付いてしまうトラブルや、プリンターに装填して印字する際のジャミングや印字障害を回避可能としたラベルの打抜き刃および打抜き方法を提供することを課題とする。
【００１３】
また本発明は、ラベル基材の切断端部の部分において粘着剤層の粘着剤を閉じ込めるようにすることができるラベルの打抜き刃および打抜き方法を提供することを課題とする。
【課題を解決するための手段】
【００１４】
すなわち本発明は、当該打抜き刃に段差付き形状を付与すること、この段差付き部分が粘着剤をラベル基材内に押し込めてしまうことができるようにすることに着目したもので、第一の発明は、ラベル基材と、このラベル基材の裏面に形成した粘着剤層と、この粘着剤層に仮着する台紙と、を有するラベルに対して、前記ラベル基材の上方から前記台紙に向かって打ち込むことにより、前記ラベル基材および前記粘着剤層を切断するためのラベルの打抜き刃であって、前記ラベル基材および前記粘着剤層を切断可能なカット部と、このカット部の左右につながっているとともに、切断された前記ラベル基材の切断端部を前記台紙側に押さえ込み可能な一対の傾斜押圧部と、を有し、前記カット部の、当該打抜き刃の打抜き方向における長さは、これを前記粘着剤層の厚さと同等にしたことを特徴とするラベルの打抜き刃である。
【００１５】
第二の発明は、ラベル基材と、このラベル基材の裏面に形成した粘着剤層と、この粘着剤層に仮着する台紙と、を有するラベルに対して、前記ラベル基材の上方から前記台紙に向かって打抜き刃を打ち込むことにより、前記ラベル基材および前記粘着剤層を切断するためのラベルの打抜き方法であって、前記打抜き刃は、前記ラベル基材および前記粘着剤層を切断可能なカット部と、このカット部の左右につながっているとともに、切断された前記ラベル基材の切断端部を前記台紙側に押さえ込み可能な一対の傾斜押圧部と、を有し、前記カット部の、当該打抜き刃の打抜き方向における長さは、これを前記粘着剤層の厚さと同等にし、前記傾斜押圧部により、前記ラベル基材の前記切断端部を前記台紙側に押さえ込んで、前記粘着剤層の粘着剤を前記切断端部の部分において前記ラベル基材と前記台紙との間に閉じ込めるようにすることを特徴とするラベルの打抜き方法である。
【００１６】
上記カット部の、当該打抜き刃の打抜き方向における長さは、これを上記粘着剤層の厚さと同等にすることができる。
【００１７】
上記傾斜押圧部の、当該打抜き刃の打抜き方向における長さは、これを上記ラベル基材の厚さと同等にすることができる。
【００１８】
上記傾斜押圧部は、上記カット部との間の刃境界部に向かってテーパー形状を呈していることができる。
【００１９】
上記傾斜押圧部は、上記ラベル基材の上記切断端部を上記台紙側に押さえ込んで、上記粘着剤層の粘着剤が上記切断端部から外部に浸み出さないようにすることができる。
【００２０】
上記ラベル基材が、その厚さが数十μｍ（たとえば６０〜８０μｍ程度）のごく薄いフィルム状である場合に、本発明はとくに効果的である。
上記粘着剤層における粘着剤が、たとえば冷凍糊など比較的弱粘タイプである場合に、本発明はとくに効果的である。
【発明の効果】
【００２１】
本発明によるラベルの打抜き刃および打抜き方法においては、ラベルの打抜き刃に、カット部と、このカット部の左右につながっているとともに、切断されたラベル基材の切断端部を台紙側に押さえ込み可能な一対の傾斜押圧部と、を設けたので、切断端部の部分で粘着剤をラベル基材と台紙との間に閉じ込めて、粘着剤の外部への浸出し現象を防止可能である。
【００２２】
とくに第一の発明によれば、ラベルの打抜き刃に、カット部と、このカット部の左右につながっているとともに、切断されたラベル基材の切断端部を台紙側に押さえ込み可能な一対の傾斜押圧部と、を設けたので、粘着剤をラベル基材と台紙との間に閉じ込めて粘着剤の外部への浸出し現象を防止可能な切断端部を形成可能である。
【００２３】
とくに第二の発明によれば、傾斜押圧部により、ラベル基材の切断端部を台紙側に押さえ込んで、粘着剤層の粘着剤を切断端部の部分においてラベル基材と台紙との間に閉じ込めるようにしたので、切断端部の部分から粘着剤が外部に浸み出すことなく、ラベルの切断操作を行うことができる。
【発明を実施するための最良の形態】
【００２４】
本発明は、当該打抜き刃に段差付き形状（カット部および傾斜押圧部）を付与し、この段差付き部分（とくに傾斜押圧部）が粘着剤をラベル基材内に押し込めてしまうことができるようにしたので、粘着剤の浸出し現象を防止したラベルの打抜き刃および打抜き方法を実現した。
【実施例】
【００２５】
つぎに本発明の実施例によるラベルの打抜き刃１０および打抜き方法を図１ないし図３にもとづき説明する。ただし、図４ないし図７と同様の部分には同一符号を付し、その詳述はこれを省略する。
図１は、前記ラベル１（図４）の断面および打抜き刃１０を示す断面図であって、打抜き刃１０は、刃ベース部１１と、刃ベース部１１の先端部中央に形成したカット部１２および一対の傾斜押圧部１３と、を有する。
【００２６】
刃ベース部１１は、その幅Ｗが、たとえば０．５〜１．０ｍｍ程度の本体であって、前記打抜き台６に向かってこれを往復動させる。
【００２７】
図２は、打抜き刃１０をラベル基材３および粘着剤層４に向かって打ち込んだ状態を示す断面図であって、カット部１２は、その刃先１２Ａが台紙５の表面部分まで達しており（ただし刃先２Ａが台紙５を切断することなく）、前記ラベル基材３および前記粘着剤層４を分離切断可能である。
カット部１２の、当該打抜き刃１０の打抜き方向における長さＬ１（すなわち、刃先１２Ａから、カット部１２と傾斜押圧部１３との間の刃境界部１４までの長さ）は、これを粘着剤層４の厚さと同等にしてある。
【００２８】
傾斜押圧部１３は、カット部１２の左右につながっているとともに、カット部１２との間の刃境界部１４に向かってテーパー形状を呈して切断されたラベル基材３の切断端部３Ａを台紙５側に押さえ込み可能である。傾斜押圧部１３の傾斜形状は、とくにその刃境界部１４付近の形状が切断端部３Ａを台紙５側に押さえ込み可能なものであれば、直線状であっても、曲線状であってもかまわない。
傾斜押圧部１３の、当該打抜き刃１０の打抜き方向における長さＬ２（すなわち、刃境界部１４から、刃ベース部１１と傾斜押圧部１３との間のベース境界部１５までの長さ）は、これをラベル基材３の厚さと同等にしてある。
かくして、傾斜押圧部１３は、ラベル１の打抜き時にラベル基材３の切断端部３Ａを台紙５側に押さえ込むように変形させ、粘着剤層４の粘着剤４Ａが切断端部３Ａから外部に浸み出さないようにする。
【００２９】
こうした構成の打抜き刃１０において、とくに図２に示すように、傾斜押圧部１３により、ラベル基材３の切断端部３Ａを台紙５側に押さえ込んで、粘着剤層４の粘着剤４Ａを切断端部３Ａの部分においてラベル基材３と台紙５との間に閉じ込めるようにする。
【００３０】
図３は、打抜き刃１０をラベル１の部分から引き抜いた状態を示す断面図であって、ラベル基材３の切断端部３Ａが打抜き刃１０の傾斜押圧部１３により台紙５方向に押し付けられるとともにラベル基材３自体の剛性によりこの変形形状を保持する結果、この切断端部３Ａの部分において切断端部３Ａと台紙５との間に粘着剤層４の粘着剤４Ａを閉じ込めることができる。
【００３１】
したがって、粘着剤４Ａは、切断端部３Ａの部分において外部に露出せず、切断端部３Ａから外部に浸み出すことなく、粘着剤層４内に留まっており、図７に示したようなロール状ラベル１Ａに巻かれているような形態であっても、粘着剤４Ａが外周側に位置する台紙５の裏面に付着する事態を回避可能である。
もちろん、ラベル１を任意のプリンターに装填して、印字操作を行う際にも、ジャミングや印字障害の発生を防止することができる。
【図面の簡単な説明】
【００３２】
【図１】本発明の実施例によるラベルの打抜き刃１０およびラベル１を示す断面図である。
【図２】同、打抜き刃１０をラベル基材３および粘着剤層４に向かって打ち込んだ状態を示す断面図である。
【図３】同、打抜き刃１０をラベル１の部分から引き抜いた状態を示す断面図である。
【図４】従来のラベル１および打抜き刃２を示す断面図である。
【図５】同、打抜き刃２をラベル基材３および粘着剤層４に向かって打ち込んだ状態を示す断面図である。
【図６】同、打抜き刃２をラベル１の部分から引き抜いた状態を示す断面図である。
【図７】同、ラベル１を製品としてロール状に巻いてロール状ラベル１Ａとした状態を示す斜視図である。
【符号の説明】
【００３３】
１  ラベル
１Ａ  ロール状ラベル（図７）
２  打抜き刃（従来、図４）
２Ａ  打抜き刃２の刃先
３  ラベル基材
３Ａ  ラベル基材３の切断端部（図６）
４  粘着剤層
４Ａ  粘着剤層４の粘着剤
５  台紙
６  打抜き台
１０  打抜き刃（実施例、図１）
１１  刃ベース部
１２  カット部
１３  一対の傾斜押圧部
１４  カット部１２と傾斜押圧部１３との間の刃境界部
１５  刃ベース部１１と傾斜押圧部１３との間のベース境界部
Ｗ    刃ベース部１１の幅（図１）
Ｌ１  カット部１２の、打抜き刃１０の打抜き方向における長さ（図１）
Ｌ２  傾斜押圧部１３の、打抜き刃１０の打抜き方向における長さ（図１）
【図１】
0005183229.tif 000002
【図２】
0005183229.tif 000003
【図３】
0005183229.tif 000004
【図４】
0005183229.tif 000005
【図５】
0005183229.tif 000006
【図６】
0005183229.tif 000007
【図７】
0005183229.tif 000008